(57)【要約】【課題】操作レバーの上下方向の回動量を最小限として、その操作性を向上する。【解決手段】左右の脚体同士を連結する左右方向を向く連結杆６の中央部に、係合軸３１を上向きに突設するとともに、天板７の下面中央に取付けたカバー部材１９内に、操作レバー２０を、その前端を回動自在に枢支して収容し、かつ操作レバー２０の後部側に、天板７が前後限位置まで移動したとき、前記係合軸３１が係合する前後２個の係合孔２７を設ける。【選択図】    図５
2004298242.tif 000002
【特許請求の範囲】
【請求項１】
左右の脚体により前後方向に移動可能に支持された天板の後端部下方に配線スペースを設け、該配線スペースの上端開口部を、前記天板を前後方向に移動させて開閉するようにした可動天板を備える机において、
前記左右の脚体の上端部同士を、左右方向を向く連結杆により連結し、該連結杆の左右方向の中央部に、係合軸を上向きに突設するとともに、前記天板の下面の中央部に、前端が天板に上下に回動自在に枢着され、かつ枢着部よりも後部側が常時下向きに回動するようにした前後方向を向く操作レバーを、その後端部が前記天板と係合軸との間を挿通して後方に位置するように設け、かつ前記操作レバーの後部側に、前記天板が配線スペースの上方を閉塞する後限位置と、配線スペースの上方を開口する前限位置とに移動したとき、前記係合軸が係合する前後２個の係合凹部を設けたことを特徴とする可動天板を備える机。
【請求項２】
操作レバーの枢着部よりも後部側を、付勢手段により常時下向きに回動するようにした請求項１に記載の可動天板を備える机。
【請求項３】
天板の下面の中央部に、上面が開口する前後方向を向く箱状のカバー部材を取付け、該カバー部材内に、操作レバーを、前端を上下に回動し得るように枢支して収容するとともに、前記カバー部材の底板の前端部に、前記操作レバーの下面と連通する通孔を、かつ底板の後端部に、係合軸の前後方向への相対移動を許容するガイド孔を、それぞれ設けた請求項１または２に記載の可動天板を備える机。
【請求項４】
天板の下面に前後方向を向く凹溝を形成し、この凹溝に、カバー部材の外周面を嵌合した請求項３のいずれかに記載の可動天板を備える机。
【請求項５】
天板を、前後限位置まで移動したとき、ガイド溝の前後両端に係合軸が当接するようにした請求項３または４に記載の可動天板を備える机。
【請求項６】
操作レバーの前端部下面に、操作部を下向きに突設し、この操作部を、カバー部材の通孔に挿脱自在に遊嵌した請求項３〜５のいずれかに記載の可動天板を備える机。
【請求項７】
連結杆を、側面視上向きコ字状断面をなすものとし、その内部に、係合軸を収容して固定した請求項１〜６のいずれかに記載の可動天板を備える机。
【発明の詳細な説明】
【０００１】
【発明の属する技術分野】
本発明は、天板を前方に移動させて、机本体の天板下に形成された配線スペースを開口し、ＯＡ機器等のコード類を簡単に配線し得るようにした可動天板を備える机に関する。
【０００２】
【従来の技術】
この種の机の中には、天板を使用位置に保持するとともに、前方に移動させたとき、不用意に後方に移動して配線作業に支障を来すのを防止するために、机本体と天板との間に、互いに係脱可能な係合部と被係合部とを設けたものがある（例えば特許文献１参照）。
【０００３】
【特許文献１】
特開２００２−２８２０５５号公報（図６〜図８等）
【０００４】
【発明が解決しようとする課題】
上記特許文献１に記載されている従来の可動天板を備える机では、天板の下面の左右両側部に、机本体の左右の支持アームに設けた被係合部に係脱可能な前後１対の係合部を有する左右１対の操作レバー（レバー部材）の後端を、上下に回動可能に枢着し、その前端の把持部を手で持って上下方向に大きく回動することにより、被係合部と係脱させるようにしているため、手（腕）を上下に大きく移動させなければならず、操作性が悪い。また、操作レバーが露出した状態で下方に大きく回動するため見栄えも悪い。
【０００５】
本発明は、上記問題点を解決するためになされたもので、操作レバーの上下方向の回動量を最小限として、その操作性を向上させるとともに、外部に露出させずに回動させることにより、見栄えを向上させることができるようにした可動天板を備える机を提供することを目的としている。
【０００６】
【課題を解決するための手段】
上記目的を達成するために、本発明の可動天板を備える机は、左右の脚体により前後方向に移動可能に支持された天板の後端部下方に配線スペースを設け、該配線スペースの上端開口部を、前記天板を前後方向に移動させて開閉するようにした可動天板を備える机において、
前記左右の脚体の上端部同士を、左右方向を向く連結杆により連結し、該連結杆の左右方向の中央部に、係合軸を上向きに突設するとともに、前記天板の下面の中央部に、前端が天板に上下に回動自在に枢着され、かつ枢着部よりも後部側が常時下向きに回動するようにした前後方向を向く操作レバーを、その後端部が前記天板と係合軸との間を挿通して後方に位置するように設け、かつ前記操作レバーの後部側に、前記天板が配線スペースの上方を閉塞する後限位置と、配線スペースの上方を開口する前限位置とに移動したとき、前記係合軸が係合する前後２個の係合凹部を設けたことを特徴としている。
上記構成の本発明によれば、天板を前後限位置まで移動すると、後部側の２個の係合凹部が係合軸と係合することにより、天板が前後限位置でロックされ、操作レバーを上向きに回動すると、係合凹部が係合軸より離脱して、天板の前後方向への移動が可能となる、従って、操作レバーを大きく下向きに回動する必要はなく、その操作性が向上する。
【０００７】
上記机において、操作レバーの枢着部よりも後部側を、付勢手段により常時下向きに回動するようにするのが好ましい。
このようにすると、操作レバーを合成樹脂等の軽い材料で形成しても、その枢着部よりも後部側が強制的に下向きに付勢されるので、係合凹部が妄りに係合軸より離脱することがない。
【０００８】
上記机において、天板の下面の中央部に、上面が開口する前後方向を向く箱状のカバー部材を取付け、該カバー部材内に、操作レバーを、前端を上下に回動し得るように枢支して収容するとともに、前記カバー部材の底板の前端部に、前記操作レバーの下面と連通する通孔を、かつ底板の後端部に、係合軸の前後方向への相対移動を許容するガイド孔を、それぞれ設けるのが好ましい。
このようにすると、操作レバーがカバー部材により隠蔽されるので見栄えが向上する。
【０００９】
上記机において、天板の下面に前後方向を向く凹溝を形成し、この凹溝に、カバー部材の外周面を嵌合するのが好ましい。
このようにすると、カバー部材の天板の下面からの突出寸法を小さくし得るので、突出感が少なく、机の体裁が良くなる。
【００１０】
上記机において、天板を、前後限位置まで移動したとき、ガイド溝の前後両端に係合軸が当接するようにするのが好ましい。
このようにすると、天板を確実に前後限位置で停止させ得るとともに、その位置で係合凹部が係合軸に容易に係合させることができる。
【００１１】
上記机において、操作レバーの前端部下面に、操作部を下向きに突設し、この操作部を、カバー部材の通孔に挿脱自在に遊嵌するのが好ましい。
このようにすると、カバー部材の通孔より操作部を押動して、操作レバーを容易に上向きに回動することができる。
【００１２】
上記机において、連結杆を、側面視上向きコ字状断面をなすものとし、その内部に、係合軸を収容して固定するのが好ましい。
このようにすると、係合軸の保持強度が大となるので、それに前後方向の衝撃力が作用しても、ぐら付いたりすることがない。
【００１３】
【発明の実施の形態】
以下、本発明の実施形態を図面に基づいて説明する。
【００１４】
図１は、本発明の可動天板を備える机の斜視図、図２は、同じく平面図を示すもので、机本体１は、上下方向を向く左右１対の板状の側脚２ａ，２ａの下端に、前方を向くベース脚２ｂ，２ｂを有する左右１対の脚体２，２と、両脚体２の後端間に着脱可能に装着される幕板３と、両側脚２ａの上端に、ベース脚２ｂと平行をなすように取付けられた左右１対の支持アーム４，４とを備え、両支持アーム４の対向面のほぼ中間部に内向きに突設されたブラケット片５には、側面視上向コ字状断面の連結杆６の左右両端部がねじ止めされている。
【００１５】
上記左右の支持アーム４の上部には、天板７が、次のようにして前後方向に移動可能に取付けられている。
【００１６】
図３に示すように（左右対称で同一構造につき、一方のみ図示する）、正面視上向コ字状断面をなす支持アーム４内の底面中央に立設された前後方向を向くリブ８の上面には、該リブ８により仕切られた内方の凹溝９内に収容されるようにして、逆Ｌ字状のブラケット１０の水平片１０ａがねじ止めされ、その垂下片１０ｂの内側面には、対向面に上下１対の案内ロッド１１，１１が固着された内向きＣ字状断面のガイドレール１２が、支持アーム４内の前後両端付近までに亘って固定されている。
【００１７】
上記上下の案内ロッド１１には、所定の前後寸法を有するスライド部材１３が、前後に摺動自在に嵌合され、このスライド部材１３に固着した逆Ｌ字形のブラケット１４の内向水平片１４ａの上面に、天板７の両側部下面のほぼ中間部が固定されている。従って、天板７は、左右の支持アーム４のガイドレール１２に案内されて前後方向に移動することができる。
【００１８】
幕板３の前面の上端部には、図４に示すように、上端が天板７の下面より下方に位置する、側面視上向コ字状の配線ダクト１５が取付けられ、その上方における幕板３と天板７の後端間に形成された開口部は、幕板３の上端に取付けた挟持部材１６に後端部が挟着されたブラシ状の閉塞部材１７により塞がれている。
【００１９】
天板７は、後記する停止機構により、後端が閉塞部材１７の前端と近接する後限位置（使用位置）と、配線ダクト１５の前端より所要寸法離間する前端位置との間を移動して停止させ得るようになっている。
【００２０】
図２、図５及び図６に示すように、天板７の下面の中央部と連結杆６の左右方向の中間部には、天板７を前後限位置で不動状態とする停止機構１８が設けられている。
【００２１】
停止機構１８は、合成樹脂製のカバー部材１９と、同じく合成樹脂製の操作レバー２０と、硬質合成樹脂製の停止部材２１と、圧縮コイルばね２２とからなっている。
【００２２】
カバー部材１９は、図７にも示すように、上面が開口された前後方向に細長い有底箱状をなし、底板１９ａの前端部には、円形の通孔２３が、また後端部には、前後方向を向くスリット状のガイド孔２４がそれぞれ形成されている。
【００２３】
カバー部材１９は、天板７の下面中央に形成された上向きの凹溝２５に外周面を嵌合したのち、前後両端部の左右両側面より突設する取付片２６を、天板７の下面にねじ止めすることにより取付けられている。
【００２４】
操作レバー２０は、図８及び図９にも示すように、カバー部材１９内の上面に密着させて収納可能な細長い平板状をなし、左右の側端縁には、上向きの補強リブ２０ａが形成されている。
【００２５】
また、操作レバー２０の後方寄りには、係合凹部としての前後２個の方形をなす係合孔２７，２７が穿設されている、この係合孔２７の左右寸法は、上記カバー部材１９のガイド孔２４の左右幅より大とされ、かつ前部側の係合孔２７の前端とガイド孔２４の前端、及び後部側の係合孔２７の後端とガイド孔２４の後端が、それぞれほぼ同位置に整合するようにしてある。
【００２６】
操作レバー２０の前端の左右両側部には、側面視円板状の１対の枢軸２８，２８が一体的に形成され、両枢軸２８は、カバー部材１８の前端部の側板の内面に形成された側面視Ｕ字状の枢支溝２９，２９に、上下に回動自在に嵌合されている。
【００２７】
３０は、操作レバー２０の前端部の下面中央に下向きに突設された円形の操作部で、カバー部材１９の通孔２３内に遊嵌されて、その下方より押動し得るようになっている。
【００２８】
停止部材２１は、方形のブロック状をなし上面には、上記カバー部材１９のガイド孔２４を摺動可能に貫通して、操作レバー２０の前後の係合孔２７に選択的に係合可能な方形断面の係合軸３１が、上向きに一体的に突設されている。
【００２９】
停止部材２１は、カバー部材１９の下方の連結杆６内に収容されて、下方よりねじ３２により固定されている。
【００３０】
圧縮コイルバネ２２は、操作レバー２０の中央よりやや前方寄りの上面に突設された係止突起３３と、それと対向する天板７の下面に形成された保持溝３４との間に縮設され、操作レバー２０を常時下向きに付勢している。
【００３１】
上記実施形態において、天板７を図５の使用状態から前限位置まで移動させるには、図１０に示すように、操作レバー２０の操作部３０を上向きに押圧し、操作レバー２０を、その前端の枢支軸２８を中心に圧縮コイルばね２２に抗して上向きに回動させる。すると、前側の係合孔２７が停止部材２１の係合軸３１より離脱することにより、天板７は前方に移動可能となる。
【００３２】
この状態で天板７を、係合溝３１が、ガイド孔２４の後端と当接する前限位置まで移動させ、操作部３０から手を離すと、図１１に示すように、操作レバー２０は下向きに回動して、その後側の係合孔２７が係合軸３１に自動的に係合することにより、天板７は前限位置でロックされる。
【００３３】
これにより、配線ダクト１５の上方が大きく開口され、配線作業を容易に行うことができる。
【００３４】
天板７を後限の使用位置まで移動する際は、再度操作部３０を上向きに押動し、後側の係合孔２７を係合軸３１より離脱させ、天板７を、係合軸３１がガイド孔２４の前端と当接するまで移動させればよく、この状態で前側の係合孔２７が係合軸３１と自動的に係合することにより、天板７は後限位置でロックされる。
【００３５】
なお、上記天板７を前後限位置まで移動する際において、操作レバー２０は常時下向きに付勢されているため、前後の係合孔２７を係合軸３１より離脱させてから、天板７を若干移動させたのちは、操作部３０より手を離しても、前後限位置に達すると、係合孔２７は係合軸３１と自動的に係合する。
【００３６】
以上説明したように、上記実施形態の机においては、操作レバー２０を、カバー部材１９内において前端を中心として上向きに回動させ、前後の係合孔２７を、停止部材２１の係合軸３１に係合させることにより、天板７を前後限位置でロックし得るようにしているため、操作レバー２０を下向きに大きく回動させる必要はなく、その操作性が大幅に向上する。
【００３７】
また、操作レバー２０のほぼ全体がカバー部材１９内に収容され、外部に露出していないので、見栄えが向上する。
【００３８】
さらに、カバー部材１９は、天板７の下面に形成した凹溝２５内にほぼ収容されているため、その下方への突出寸法が小さくなり、机の体裁がよくなる。
【００３９】
なお、上記実施形態では、操作レバー２０をカバー部材１９内に収容し、それにより前端を回動自在に枢支しているが、操作レバー２０の前端を、ヒンジ等により天板７の下面に直接枢着してもよく、このようにすれば、カバー部材１９を省略することもできる。
【００４０】
操作レバー２０を常時下向きに付勢する付勢手段は、上記圧縮コイルばね２２に代えて、操作レバー２０の上面適所に固着した重りとしても良い。
【００４１】
また、操作レバー２０を金属等の高比重材により形成し、自重を大とすれば、付勢手段としての圧縮コイルばね２２等を省略することも可能である。
【００４２】
連結杆６が、方形又は下向きコ字状断面をなす場合には、その上面に係合軸３１のみを固着すればよい。
【００４３】
操作レバー２０の係合孔２７の代わりに、例えば前後１対の突片を操作レバー２０の下面に固着し、両突片間の凹部に係合軸３１が係合するようにしたり、操作レバー２０の下面を上向きに凹ませたりしてもよい。
【００４４】
【発明の効果】
本発明によれば次のような効果を奏することができる。
【００４５】
（ａ）請求項１項に記載の発明によれば、操作レバーを、その枢着部よりも後部側を上向きに回動するだけで、係合凹部が係合軸より離脱して、天板を前後方向に移動させ得るので、従来のように操作レバーを大きく下向きに回動する必要はなく、その操作性が大幅に向上する。
【００４６】
（ｂ）請求項２項に記載の発明によれば、操作レバーの枢着部よりも後部側が強制的に下向きに付勢されるので、係合凹部が簡単に係合軸より離脱して、天板が不用意に前後方向に移動するのが防止される。
【００４７】
（ｃ）請求項３項に記載の発明によれば、操作レバーがカバー部材により隠蔽され、外部に露出しないので、見栄えが向上する。
【００４８】
（ｄ）請求項４項に記載の発明によれば、カバー部材の天板の下面からの突出寸法が小さくなるので、突出感が小さく、机の体裁が良くなる。
【００４９】
（ｅ）請求項５項に記載の発明によれば、天板を確実に前後限位置で停止させ得るとともに、その位置で係合凹部が係合軸に容易に係合させることができる。
【００５０】
（ｆ）請求項６項に記載の発明によれば、カバー部材の通孔を介して操作部を押動し、操作レバーを容易に上向きに回動することができる。
【００５１】
（ｇ）請求項７項に記載の発明によれば、係合軸の保持強度が大となるので、それに前後方向の衝撃力が作用しても、ぐらついたりすることがない。
【図面の簡単な説明】
【図１】本発明を適用した机の一部切欠き斜視図である。
【図２】同じく平面図である。
【図３】図２のＩＩＩ−ＩＩＩ線に沿う拡大縦断正面図である。
【図４】机の後端上部の斜視図である。
【図５】図２のＶ−Ｖ線に沿う拡大縦断側面図である。
【図６】天板を取外して示す停止機構の拡大平面図である。
【図７】カバー部材の平面図である。
【図８】操作レバーの平面図である。
【図９】図８のＩＸ−ＩＸ線に沿う縦断正面図である。
【図１０】操作レバーを上向きに回動させて、係合孔を係合軸より離脱した状態の拡大縦断正面図である。
【図１１】図１０の状態で天板を前限位置まで移動させ、後側の係合孔が係合軸と係合した状態の拡大縦断正面図である。
【符号の説明】
１      机本体
２      脚体
２ａ    側脚
２ｂ    ベース脚
３      幕板
４      支持アーム
５      ブラケット片
６      連結杆
７      天板
８      リブ
９      凹溝
１０    ブラケット
１０ａ  水平片
１０ｂ  垂下片
１１    案内ロッド
１２    ガイドレール
１３    スライド部材
１４    ブラケット
１４ａ  内向水平片
１５    配線ダクト（配線スペース）
１６    挟持部材
１７    閉塞部材
１８    停止機構
１９    カバー部材
１９ａ  底板
２０    操作レバー
２０ａ  補強リブ
２１    停止部材
２２    圧縮コイルばね（付勢手段）
２３    通孔
２４    ガイド孔
２５    凹溝
２６    取付片
２７    係合孔（係合凹部）
２８    枢軸
２９    枢支溝
３０    操作部
３１    係合軸
３２    ねじ
３３    係止突起
３４    保持溝
【図１】
2004298242.tif 000003
【図２】
2004298242.tif 000004
【図３】
2004298242.tif 000005
【図４】
2004298242.tif 000006
【図５】
2004298242.tif 000007
【図６】
2004298242.tif 000008
【図７】
2004298242.tif 000009
【図８】
2004298242.tif 000010
【図９】
2004298242.tif 000011
【図１０】
2004298242.tif 000012
【図１１】
2004298242.tif 000013